(57)【要約】【課題】暗闇でも携帯電話機に容易に装着できる携帯電話機用充電器を提供する。【解決手段】携帯電話機用充電器１は、電源部２ａを有する充電器本体２と、充電器本体２にコード３を介して接続される、携帯電話機Ｐの充電用端子部２０に接続可能な接続プラグ４とを備える。接続プラグ４は、充電器本体２から供給される電力により点灯する発光器１１を備える。接続プラグ４は、発光器１１を点灯／消灯する発光器用のスイッチ１４と、携帯電話機Ｐの充電用端子部２０に係止可能な係止爪９と、押下されたときに係止爪９の係止を解除する操作ボタン１０とを備えると共に、発光器１１用のスイッチ１４が操作ボタン１０で操作されて、操作ボタン１０が押下されたときに発光器１１を点灯するように構成されてもよい。また、接続プラグ４のケース７を透明または半透明に構成し、ケース７内部に発光器１１を設けるようにしてもよい。【選択図】図１
2005012869.tif 000002
【特許請求の範囲】
【請求項１】
電源部を有する充電器本体と、該充電器本体にコードを介して接続される、携帯電話機の充電用端子部に接続可能な接続プラグとを備える携帯電話機用充電器であって、
前記接続プラグは、前記充電器本体から供給される電力により点灯する発光器を備えることを特徴とする携帯電話機用充電器。
【請求項２】
前記接続プラグは、前記発光器を点灯／消灯する発光器用のスイッチを備えることを特徴とする請求項１に記載の携帯電話機用充電器。
【請求項３】
前記発光器用のスイッチは、前記接続プラグが携帯電話機の充電用端子部に接続されたときにオフして前記発光器を消灯することを特徴とする請求項２に記載の携帯電話機用充電器。
【請求項４】
前記接続プラグは、携帯電話機の充電用端子部に係止可能な係止爪と、押下されたときに係止爪の係止を解除する操作ボタンとを備え、
前記発光器用のスイッチは、該操作ボタンで操作され、該操作ボタンが押下されたときに前記発光器を点灯するように構成されていることを特徴とする請求項２に記載の携帯電話機用充電器。
【請求項５】
前記接続プラグのケースは、少なくとも一部が透明または半透明に構成され、該ケースの内部に前記発光器が設けられたことを特徴とする請求項１乃至４のうちのいずれか１項に記載の携帯電話機用充電器。
【請求項６】
前記接続プラグのケースの表裏いずれか一方の面のみを透明または半透明に構成したことを特徴とする請求項５に記載の携帯電話機用充電器。
【請求項７】
前記接続プラグは、ケースに一部が露出した状態で収納されると共に複数の端子用穴が穿設されて携帯電話機の充電用端子部に接続されるコネクタを備え、
前記発光器は、前記ケース内のコネクタの後方部分に設けられ、該コネクタの端子用穴の少なくとも１つは、前記発光器からの光が透過できるようにコネクタの前後を貫通して設けられていることを特徴とする請求項１乃至６のうちのいずれか１項に記載の携帯電話機用充電器。
【発明の詳細な説明】
【０００１】
【発明の属する技術分野】
本発明は、携帯電話機に充電するための携帯電話機用充電器に関する。
【０００２】
【従来の技術】
従来、携帯電話機用充電器は、電源部を有する充電器本体と、該充電器本体にコードを介して接続される、携帯電話機の充電用端子部に接続可能な接続プラグとを備えている。上記充電器本体の電源部は、外部の電源に接続されるものや電池を内蔵するものがあり、例えば、車両のシガーライターソケットに挿入されるプラグ部から構成されたものが知られている（例えば特許文献１参照）。
【０００３】
この種の携帯電話機用車載充電器では、使用者は、予め充電器本体のプラグ部をシガーライターソケットに挿入しておき、車両内で携帯電話機の充電が必要なときに、携帯電話機の充電用端子部に接続プラグを接続して充電を行っている。
【０００４】
しかしながら、暗がりや夜間では、暗い車内で接続プラグを携帯電話機に接続することは困難である。特に携帯電話機の機種によっては、接続プラグを接続可能な向きが決まっており、接続プラグをその表裏の向きを合わせて携帯電話機の充電用端子部に接続することが必要になるが、暗がりや夜間では、接続プラグの表裏を確かめることが難しい。また、車両のマップランプを点灯しても、携帯電話機の充電操作を行おうとする手元には十分な照度が得られないことが多く、操作性は改善されず、更にマップランプの点灯により車載バッテリの電力が大きく消費されるという不都合が生じる。
【０００５】
【特許文献１】
実用新案登録第３０８２６９５号公報  （第６−８頁、第１−２図）
【０００６】
【発明が解決しようとする課題】
本発明は上記不具合を解消するために成されたものであり、暗闇でも携帯電話機に容易に装着できる携帯電話機用充電器を提供することを目的とする。
【０００７】
また、本発明は、消費電力を低減し、且つ、暗闇でも携帯電話機に容易に装着できる携帯電話機用充電器を提供することを他の目的とする。
【０００８】
【課題を解決するための手段】
前記の目的を達成するために、本発明の携帯電話機用充電器は、電源部を有する充電器本体と、該充電器本体にコードを介して接続される、携帯電話機の充電用端子部に接続可能な接続プラグとを備える携帯電話機用充電器であって、前記接続プラグは、前記充電器本体から供給される電力により点灯する発光器を備えることを特徴とする。
【０００９】
かかる本発明によれば、携帯電話機の充電用端子部に接続可能な接続プラグに発光器を設けたので、発光器を点灯させることにより暗闇の中でも手元が明るくなり、携帯電話機に接続プラグを容易に装着することができる。また、発光器は充電器本体から供給される電力により点灯するので、電源を別に用意する必要が無い。そのため、構成を簡易なものにすることができる。
【００１０】
また、本発明の携帯電話機用充電器は、照明効果を高めるために、前記接続プラグのケースが、少なくとも一部が透明または半透明に構成され、該ケースの内部に前記発光器が設けられてもよい。
【００１１】
上記構成によれば、発光器を接続プラグのケースに内蔵したので、ケースの外側に設けたときと比較して小型化することが可能である。また、接続プラグのケースは、少なくとも一部が透明または半透明に構成されているので、発光器の発する光をケースの透明または半透明の部分から照射することができる。
【００１２】
この場合に、前記接続プラグのケースの表裏いずれか一方の面のみを透明または半透明に構成してもよい。これによれば、ケースの透明または半透明である一方の面のみが点灯するので、接続プラグの表裏を容易に判別でき、その結果、接続プラグを携帯電話機の端子部に装着し易くなる。
【００１３】
また、本発明の携帯電話機用充電器では、前記接続プラグは、ケースに一部が露出した状態で収納されると共に複数の端子用穴が穿設されて携帯電話機の充電用端子部に接続されるコネクタを備え、前記発光器は、前記ケース内のコネクタの後方部分に設けられ、該コネクタの端子用穴の少なくとも１つは、前記発光器からの光が透過できるようにコネクタの前後を貫通して設けられていてもよい。
【００１４】
上記構成によれば、発光器からの光が端子用穴を通して、コネクタの前方、即ち接続プラグの先端から照射される。そのため、装着時に携帯電話機の充電用端子部が直接照らされ、接続プラグが装着し易くなる。
【００１５】
また、本発明の携帯電話機用充電器では、前記接続プラグが、前記発光器を点灯／消灯する発光器用のスイッチを備えるように構成してもよい。
【００１６】
かかる本発明によれば、発光器は発光器用のスイッチの操作に応じて点灯するので、必要なときにだけ点灯させることができる。その結果、発光器で消費される電力を低減することができる。
【００１７】
ここで、前記発光器用のスイッチを備えるものとしては、以下の２つの形態が考えられる。すなわち、第１の形態では、前記発光器用のスイッチは、前記接続プラグが携帯電話機の充電用端子部に接続されたときにオフして前記発光器を消灯するものである。
【００１８】
第１の形態では、接続プラグが携帯電話機の充電用端子部に接続されるまで、発光器が点灯しているので暗闇でも容易に装着できると共に、発光器の消し忘れを防止して、無駄な電力消費を抑えることができる。
【００１９】
上記第２の形態を採用する場合は、前記接続プラグは、携帯電話機の充電用端子部に係止可能な係止爪と、押下されたときに係止爪の係止を解除する操作ボタンとを備え、前記発光器用のスイッチは、該操作ボタンで操作され、該操作ボタンが押下されたときに前記発光器を点灯するように構成する。
【００２０】
第２の形態では、発光器用のスイッチの操作部を別に設ける必要が無く、部品点数が減って構成が容易になる。また、発光器が点灯するのは、操作ボタンを押下したとき、即ち接続プラグの脱着時であり、それ以外のときは発光器が消灯される。その結果、発光器による電力消費を低減することができる。
【００２１】
【発明の実施の形態】
次に、添付の図面を参照しながら本発明の一実施形態について説明する。図１は本実施形態の携帯電話機用車載充電器を示す構成図、図２は図１示の携帯電話機用車載充電器のコネクタと携帯電話機の充電用端子部とを示す説明図である。
【００２２】
図１および図２を参照して、本実施形態の携帯電話機用車載充電器１は、充電器本体２と、該充電器本体２にコード３を介して接続される、携帯電話機Ｐの充電用端子部２０に接続可能な接続プラグ４とを備え、車載バッテリで携帯電話機Ｐを充電するものである。
【００２３】
充電器本体２は、円筒状であり、その先端に、電源部として車両のシガーライターソケット（図示しない）に挿入されるプラグ部２ａが設けられている。該プラグ部２ａは先端および側部に、シガーライターソケットの内部にある各電極（不図示）と接続可能な電極５ａ，５ｂを備えている。また、充電器本体２の基端側の内部に充電回路６が内蔵されている。充電回路６は、不図示の車載バッテリの電圧（１２Ｖ／２４Ｖ）を携帯電話機Ｐの充電用電圧（約４Ｖ）にＤＣ−ＤＣ変換する。
【００２４】
接続プラグ４は、全体が透明または半透明なケース７と、該ケース７に一部が露出した状態で収納されて携帯電話機Ｐの充電用端子部２０に接続されるコネクタ８と、該コネクタ８の露出した部分の両脇に設けられ、携帯電話機Ｐの充電用端子部２０の側部２０ａに係止可能な係止爪９と、係止爪９に連設されてケース７の両脇に設けられ、押下されたときに係止爪９の係止を解除する操作ボタン１０と、発光器１１とを備えている。
【００２５】
コネクタ８には、複数の端子用穴１２が穿設されており、一部の端子用穴１２ａには、携帯電話機Ｐの充電用端子部２０の充電端子２１に対応するようにコード３に接続された電源用端子１３が挿設されている。また、残りの端子用穴１２ｂは前後に貫通して設けられている。
【００２６】
発光器１１は、コード３を介して充電器本体２から供給される電力により点灯するもので、例えばＬＥＤ（Ｌｉｇｈｔ  Ｅｍｉｔｔｉｎｇ  Ｄｉｏｄｅ）から成り、照射する光がコネクタ８の端子用穴１２ｂを透過できるようにケース７内のコネクタ８の後方部分に配設されている。
【００２７】
また、ケース７内には、操作ボタン１０で操作される発光器１１用のスイッチ１４が設けられており、操作ボタン１０を押下したときスイッチ１４がオンして、発光器１１が点灯され、操作ボタン１０の押下を解除したときスイッチ１４がオフして、発光器１１が消灯される。
【００２８】
以上の構成からなる携帯電話機用車載充電器１を使用するときには、使用者は、予め、不図示の車両のシガーライターソケットに、充電器本体２のプラグ部２ａを差し込んでおく。プラグ部２ａは、シガーライターソケットに差し込むと車載バッテリに電気的に接続されバッテリ電圧が供給される。
【００２９】
そして、車両内で携帯電話機Ｐの充電が必要なときに、使用者が携帯電話機用車載充電器１の接続プラグ４の操作ボタン１０を押下すると発光器１１が点灯する。使用者が、発光器１１を点灯させた状態で（操作ボタン１０を押下した状態で）接続プラグ４の先端（コネクタ８の先端）を携帯電話機Ｐの充電用端子部２０に向けると、コネクタ８の端子用穴１２ｂを透過した光が充電用端子部２０に照射される。このとき、接続プラグ４のケース７は全体が透明または半透明に構成されているので、該ケース７から発光器１１の光が照射されて接続プラグ４の周囲が明るくなる。従って、暗闇で使用するときにも接続プラグ４を携帯電話機Ｐに装着し易くなる。
【００３０】
続いて、使用者が携帯電話機Ｐの充電用端子部２０にコネクタ８を接続して操作ボタン１０の押下を止めると、コネクタ８の両脇に設けられた係止爪９が携帯電話機Ｐの充電用端子部２０の側部２０ａに係止され、接続プラグ４の装着が完了し、携帯電話機Ｐの内蔵電池への充電が行われる。
【００３１】
また、使用者が操作ボタン１０の押下を止めると同時に発光器１１が消灯する。従って、発光器１１が、接続プラグ４の装着後も点灯し続けることを防止でき、無駄な電力消費を無くすことができる。その結果、発光器１１の電源である車載バッテリの消耗を極力防止することができる。
【００３２】
以上説明したように、上記実施形態によれば、暗闇でも携帯電話機に装着し易く、且つ、消費される電力を低減できる携帯電話機用車載充電器を提供することができる。
【００３３】
上記実施形態では、接続プラグ４のケース７が透明または半透明に構成されると共に、コネクタ８の前後に貫通した端子用穴１２ｂを設けるものとしたが、ケース７又はコネクタ８のいずれか一方だけをそのように構成してもよい。なお、上記実施形態のように構成した方がより効果的であり好ましい。
【００３４】
また、上記実施形態では、接続プラグ４のケース７は、全体が透明または半透明なものとしたが、ケース７から発光器１１の光が十分に照射されるように構成すれば必ずしも全体が透明または半透明なものに限定されるものではない。例えば、ケース７の表裏いずれか一方の面のみを透明または半透明に構成してもよい。この場合には、一方の面のみが点灯するので、接続プラグ４の表裏を容易に判別することができる。
【００３５】
また、上記実施形態では、発光器１１用のスイッチ１４が、係止爪９用の操作ボタン１０で操作されるが、スイッチ１４を操作ボタン１０とは別の操作部で操作するようにしてもよい。この場合、操作部は、電力消費を抑えるために、指で押下したときに発光器１１が点灯し、指を離したときに発光器１１が消灯する押しボタン式のものとすることが好ましい。
【００３６】
また、上記実施形態では、使用者が操作ボタン１０を積極的に押下することにより、発光器１１用のスイッチ１４をオンするものとしたが、スイッチ１４を用いることなく、充電器本体２のプラグ部２ａをシガーライターソケットに挿入したときに、発光器１１が自動的に点灯するように構成してもよい。
【００３７】
このとき、更に発光器１１用のスイッチ１４を備え、スイッチ１４がオンして発光器１１が点灯すると共に、接続プラグ４が携帯電話機Ｐの充電用端子部２０に接続されたときに、発光器用のスイッチ１４がオフして発光器１１を消灯するように構成することが好ましい。この場合には、接続プラグ４が携帯電話機Ｐの充電用端子部２０に接続されるまで、発光器１１が点灯しているので暗闇でも容易に装着できると共に、発光器１１の消し忘れを防止して、無駄な電力消費を抑えることができる。
【００３８】
また、上記実施形態では、充電器本体２の電源部がシガーライターソケットに対応したプラグ部２ａである車載用充電器を説明したが、本発明はこれに限定されるものではない。例えば、充電器本体２の電源部は、パーソナルコンピュータ等の電子機器に設けられたＵＳＢ端子等に接続可能に構成され、該電子機器から電力が供給されるように構成してもよい。又、充電器本体２をＡＣアダプタとして、電源部を商用電源に接続可能な電極として構成してもよい。さらに、充電器本体２の電源部は、充電器本体２に装着された乾電池等から構成されるようにしてもよい。このように構成しても、上記実施形態と同一の効果を得ることができる。
【図面の簡単な説明】
【図１】本実施形態の携帯電話機用車載充電器を示す構成図。
【図２】図１示の携帯電話機用車載充電器のコネクタと携帯電話機の充電端子部とを示す説明図。
【符号の説明】
１・・・携帯電話機用車載充電器、２・・・充電器本体、２ａ・・・プラグ部、４・・・接続プラグ、６・・・充電回路、７・・・ケース、８・・・コネクタ、９・・・係止爪、１０・・・操作ボタン、１１・・・発光器、１２・・・端子用穴、１４・・・スイッチ。
【図１】
2005012869.tif 000003
【図２】
2005012869.tif 000004